(57)【特許請求の範囲】
【請求項１】
防災設備用機器の盤面に設けられたプリンターから排出されるロール紙を収納するプリンター排紙受けの形成用板体であって；
フイルム状に形成された方形状の板体と、
該板体に形成され、前記ロール紙の幅より大きな幅を有する開口部と、
前記ロール紙の移動を規制する、前記開口部の両側壁と、
前記板体の両端部に設けられ、互いに重合される接合部と、
前記板体を前記盤面に固着するための固定部と、
を備えていることを特徴とする防災設備用機器のプリンター排紙受けの形成用板体。
【請求項２】
前記開口部が、前記板体の一端部側に設けられ、その他端部側に幅方向の折り目が設けられていることを特徴とする請求項1記載の防災設備用機器のプリンター排紙受けの形成用板体。
【請求項３】
防災設備用機器の盤面に設けられたプリンターから排出されるロール紙を収納するプリンター排紙受けであって；
前記プリンター排紙受けは、一枚のフイルム状の板体によって構成されており、
該板体の両端部を重ね合わせてロール状部を形成し、
該ロール状部内に開口部を形成して前記ロール紙が通されるようにし、
前記重ね合わされた板体の両端部が、固定部をなし、
該固定部が、前記盤面に設けられたプリンター挿入開口とプリンターにより挟持されることを特徴とする防災設備用機器のプリンター排紙受け。
【請求項４】
前記フイルム状の板体は、長方形状に形成された透明体であることを特徴とする請求項３記載の防災設備用機器のプリンター排紙受け。
【発明の詳細な説明】
【技術分野】
【０００１】
この発明は、ロール紙が用いられるプリンターを備えた防災設備用機器に関するものであり、さらに述べると、防災設備用機器のプリンター排紙受け及びその形成用板体に関するものである。
【０００２】
防災設備用機器の一例としての火災報知設備用機器、例えば、火災受信機では、定期的に受信機から各端末に試験信号を送出し、該端末の機能が正常であるか否か等の自動試験を行っている。この自動試験により試験異常となった場合には、試験異常の内容を記録又は保存することが義務づけられている。
【０００３】
そのため、受信機には、ロール紙に印字するプリンターが設けられており、試験結果が正常であれば、「試験の年月日時刻」と「正常」をロール紙にプリントアウトし、又、試験結果が異常であれば、「試験の年月日時刻」と「異常」がプリントアウトされ、更に、異常内容もプリントアウトされる（例えば、特許文献１、２，３、参照）。
【０００４】
なお、前記自動試験の結果のほか、不定期的に発生する端末機器の状態変化もプリントアウトされるのが一般的である。
【０００５】
【特許文献１】実用新案登録第２５２８１５１号
【特許文献２】特開平９−２１２７７３号公報
【特許文献３】特開２００４−５４６６９１号公報
【発明の開示】
【発明が解決しようとする課題】
【０００６】
従来例では、印字されたロール紙は、火災受信機の盤面に沿って垂れ下がるが、このロール紙は、定期検査時に点検員により切り取られる。例えば、自動試験の結果が1週間おきに２桁づつ印字され、点検員が半年毎に点検作業を実施したときに、該ロール紙が切り取られる。
【０００７】
従って、点検員がプリントされたロール紙を切り取るまでは、該ロール紙が床面まで垂れ下がった状態が続き、体裁が良くない。又、床面が汚れていると、該床面に接触しているプリンター排紙が汚れ、印字が読めなくなることがある。
【０００８】
そこで、この問題を解決するため、枡状のアクリルケースをマグネットにより火災報知設備用機器の盤面（キャビ扉）に取り付け、プリンターから排出されたロール紙（以下、「プリンター排紙」という）を該ケース内に収納することが考えられる。
【０００９】
しかし、このケースを用いると、次のような問題がある。
（１）前記ケースは、前記キャビ扉より出っ張って取り付けられているので、人にあたる可能性がある。もし、人に当たると、該ケースは材質が硬いので、痛みを感じる恐れがある。又、強く当たると、負傷したり、又は、前記マグネットがキャビ扉から外れ、前記ケースが落下することがある。
【００１０】
（２）マグネットは、有彩色のため、周囲の外観に馴染まない場合がある。
（３）前記ケースの両側面は、閉じられているので、該ケース内のプリンター排紙を前記両側面から手を入れて巻き取ることができない。
（４）アクリルケースの製造は、金型などが必要となり、費用がかかる。
【００１１】
この発明は、上記事情に鑑み、簡単に製作でき、かつ、取り付けできるプリンター排紙受けを得ることを目的とする。他の目的は、安全で、かつ、外観上も周囲と調和可能なプリンター排紙受けを得ることである。
【課題を解決するための手段】
【００１２】
この発明は、防災設備用機器の盤面に設けられたプリンターから排出されるロール紙を収納するプリンター排紙受けの形成用板体であって；フイルム状に形成された方形状の板体と、該板体に形成され、ロール紙の幅より大きな幅を有する開口部と、前記ロール紙の移動を規制する、前記開口部の両側壁と、前記板体の両端部に設けられ、互いに重合される接合部と、前記板体を前記盤面に固着するための固定部と、を備えていることを特徴とする。この発明の開口部が、前記板体の一端部側に設けられ、その他端部側に幅方向の折り目が設けられていることを特徴とする。
【００１３】
この発明は、防災設備用機器の盤面に設けられたプリンターから排出されるロール紙を収納するプリンター排紙受けであって；前記プリンター排紙受けは、一枚のフイルム状の板体によって構成されており、該板体の両端部を重ね合わせてロール状部を形成し、該ロール状部内に開口部を形成して前記ロール紙が通されるようにし、前記重ね合わされた板体の両端部が、固定部をなし、該固定部が、前記盤面に設けられたプリンター挿入開口とプリンターにより挟持されることを特徴とする。
【００１４】
この発明の前記フイルム状の板体は、長方形状に形成された透明体であることを特徴とする。
【発明の効果】
【００１５】
この発明の前記形成用板体は、フイルム状に形成された方形状の板体と、該板体に形成され、ロール紙の幅より大きな幅を有する開口部と、前記ロール紙の移動を規制する、前記開口部の両側壁と、前記板体の両端部に設けられ、互いに重合される接合部と、前記板体を前記盤面に固着するための固定部と、を備えているので、前記両接合部を重ねて固着すると、ロール状部を備えたプリンター排紙受けが完成する。この様に、極めて簡単にプリンター排紙受けを製作することができる。
【００１６】
前記プリンター排紙受けは、フイルム状の板体で形成されているので、変形しやすい。そのため、該排紙受けに、誤って、人が当たっても、変形して衝撃をやわらげるので、強い痛みを感じたり、負傷したりすることがない。
【００１７】
前記排紙受けの両側面は、開放されているので、該両側面から手を入れて該排紙受け内のプリンター排紙を巻き取ることができる。
又、前記開口部の両側には、側壁が設けられているので、プリンター排紙を該側壁により案内することができる。
【００１８】
前記板体を透明体にすると、周囲の外観に馴染みやすく、調和の取れたプリンター排紙受けとなる。
又、固定部は、接着、挟着などにより簡単に、しかも、強固に盤面（キャビ扉）に固定することができる。
【発明を実施するための最良の形態】
【００１９】
この発明の実施の形態１を図1〜図７により説明する。
プリンター排紙受けの形成用板体：  
プリンター排紙受けの形成用板体１は、プラスチック等により形成されたフィルム状の板体であり、この板体1として、例えば、厚さ0.2mmの、長方形状のポリエチレンテレフタレート（PET）フイルムが用いられる。このPETフイルムは、透明体であり、引っ張り降伏応力、シャルピー衝撃強さ、曲げ応力、などの機械的性質に優れている。
【００２０】
前記板体１の一端（先端）１ａ側には、開口部３が形成され、その他端（後端）１ｂ側には、折り目５が設けられている。
前記開口部３は、Ｕ字状に形成され、その両側には、側壁７，７が設けられている。この両側壁７，７の間隔、即ち、開口部３の幅ｗは、プリンターｐから排出されるロール紙（プリンター排紙）１０の幅よりも少し大きく形成されている。前記両側壁７、７の先端部には、接合部１２、１２が設けられている。
【００２１】
前記折り目５は、幅方向、即ち前記開口部３の底部３aと平行に設けられているが、折れ易くするために、ミシン目構造に形成されている。この折り目５から板体１の下端１ｂまでの間は、接合部１５となっている。この接合部１５は、前記接合部１２が重合され固着されたときには、固定部として機能する。折り目５の構造、位置等は、必要に応じて適宜選択される。
【００２２】
プリンター排紙受けの形成：
前記板体１の折り目5を折り曲げ、前記両端部１ａ，１ｂの接合部１２，１５を重合し、前記両端部１ａ，１ｂを両面テープ等の接着手段により固着すると、プリンター排紙受け２１が完成する。この排紙受け２１のロール状部２０の少なくとも下半部は円弧状に湾曲している。なお、前記重合固着された接合部１２、１５は、固定部２４となる。また、接着手段としては、熱溶着や接着剤などによるものとすることもできる。
【００２３】
プリンター排紙受けの装着：
防災設備用機器の一例としての火災報知設備用機器２６（ここでは火災受信機で示す）の盤面（キャビ扉）２７には、プリンター挿入開口２８が設けられている。この挿入開口２８に前記排紙受け２１の固定部２４を差し込み、該固定部２４を該挿入開口２８の下辺に載せる。その後、鍔部ｐ2付きプリンターｐを前記挿入開口２８に挿入し、前記固定部２４をプリンターｐの下面ｐ１及び鍔部ｐ2により押さえる（図５参照）。
この様に、前記排紙受け２１は、簡単に、かつ、強固に固定することができるので、従来例と異なり、脱落することがない。
【００２４】
なお、図において、３０は、表示・操作部であり、３２のLED表示部、３４のＬCＤ表示部、３６のスイッチ操作部を有する。３８はスピーカ、４０はプリンターｐの排紙口、４２は紙送りボタン、をそれぞれ示す。
【００２５】
この実施の形態では、自動試験結果、又は、イベント発生（端末の状態変化等）などの各種情報を印字するため、プリンターｐが作動し、その排紙口４０からロール紙１０が吐き出されると、該ロール紙の下端部１０ａは、前記排紙受け２１の側壁７による規制を受けながら開口部３を通ってロール状部２０内に流下し、丸まりながら収納される。そして、ある程度丸まると、前記下端部１０ａは回転できなくなるとともに、続けて排出されるプリンター排紙１０は、ロール状部２１の開口部下方３ｃの外周面に案内されながら垂下する。
【００２６】
前記排紙受け２１の両側面は、開放されているので、ロール状部２０の両側面から手を入れて、該ロール状部２０内のプリンター排紙１０を巻き取ることができる。
【００２７】
この排紙受け２１は、透明体のフイルム状板体により形成さているので、人の手に当たっても、該排紙受け２１が変形するので、衝撃力が緩和される。そのため、強い痛みを感じたり、又は、負傷したりすることがないので、安全である。又、透明体なので、周囲の外観に馴染むことができる。
【００２８】
この発明の実施の形態２を図８により説明するが、前図と同一図面符号は、その名称も機能も同一である。
この実施の形態と前記実施の形態１との相違点は、開口部３が四方を壁面に囲まれた方形状であることである。
【００２９】
この上辺３ｂから板体１の上端１ａまでの幅Ｌ１は、前記接合部１５の幅Ｌと同一大きさに形成されている。この実施の形態２では、接合部１２，１５が互いに同一面積の長方形状体なので、前記実施の形態１に比べ、開口部３が安定し固定部が強靭となる。
【００３０】
この発明の実施の形態３を図９により説明するが、前図と同一図面符号は、その名称も機能も同一である。
この実施の形態と前記実施の形態との相違点は、開口部３が板体１の中央部に形成されており、又、折り目５が開口部３の上辺３ｂの延長線上に位置していることである。
【００３１】
この実施の形態３では、折り目５から折った後、両接合部１２，１５を重合して接着固定し、前記排紙受け２１を形成するが、キャビ扉に固定する際には、開口部３の上辺３ｂ側の板体１（固定部）を、接着剤等の接着手段を用いてキャビ扉に固定する。
【００３２】
前記全ての実施の形態において、防災設備用機器の一例として、端末として火災感知器などが接続される火災受信機（火災報知設備用機器）を挙げて説明したが、端末として消火用ポンプなどが接続される消火システム制御盤（消火設備用機器）、端末としてガス漏れ検知器などが接続されるガス漏れ受信機（ガス漏れ警報設備用機器）、端末として超感度煙検出装置などが接続される環境監視盤（環境監視設備用機器）など、その他の防災設備用機器にも、本発明を適用することができる。
【００３３】
また、前記防災設備用機器以外の機器にも本発明を適用することができる。つまり、ロール紙が用いられるプリンターが設けられて、イベント発生（端末の状態変化等）などの各種情報を印字する機器であれば、本発明を適用することができる。
【図面の簡単な説明】
【００３４】
【図１】本件発明の実施の形態１を示す図で、プリンター排紙受けの形成用板体を示す平面図である。
【図２】プリンター排紙受けの平面図である。
【図３】プリンター排紙受けの正面図である。
【図４】プリンター排紙受けの側面図である。
【図５】プリンター排紙受けをキャビ扉に取り付けた状態を示す断面図である。
【図６】図５の斜視図である。
【図７】火災報知設備用機器の斜視図である。
【図８】本件発明の実施の形態２を示す図で、プリンター排紙受けの形成用板体を示す平面図である。
【図９】本件発明の実施の形態３を示す図で、プリンター排紙受けの形成用板体を示す平面図である。
【符号の説明】
【００３５】
１    板体
３    開口部
５    折り目
７    側壁
１０  プリンター排紙
１２  接合部
１５  接合部
２０  ロール状部
２１  プリンター排紙受け
２４  固定部
【図１】
0004838042.tif 000002
【図２】
0004838042.tif 000003
【図３】
0004838042.tif 000004
【図４】
0004838042.tif 000005
【図５】
0004838042.tif 000006
【図６】
0004838042.tif 000007
【図７】
0004838042.tif 000008
【図８】
0004838042.tif 000009
【図９】
0004838042.tif 000010